(57)【要約】  データ記憶部(13)は、親世帯及び子世帯についての家族情報(131)を記憶する。また、データ記憶部(13)は、家電機器についての情報であり、予め定められた閲覧項目に対応付けられた機器情報(132)やエネルギー情報(133)等を記憶する。秘匿設定部(142)は、家族情報(131)の秘匿区分を自動設定する。情報加工部(143)は、設定された秘匿区分に従って、機器情報(132)やエネルギー情報(133)等の少なくとも一部を削除又は統合する。画像生成部(12)、閲覧項目を指定したユーザに応じて、情報加工部（143）により削除又は統合された情報を含む画面を生成する。
2016147402.tif 000002
【特許請求の範囲】
【請求項１】
第１の居住領域及び第２の居住領域に配置された家電機器を管理するコントローラであって、
閲覧するユーザの家族情報と、閲覧対象となる前記家電機器に関する収集情報とに基づいて、当該収集情報の少なくとも一部を秘匿した画面若しくは秘匿しない画面を表示装置に表示させる表示制御部、
を備えるコントローラ。
【請求項２】
前記第１の居住領域及び第２の居住領域に対応するユーザついての前記家族情報を記憶する家族情報記憶部と、
前記家電機器に関する前記収集情報であり、予め定められた閲覧項目に対応付けられた前記収集情報を記憶する収集情報記憶部と、を更に備え、
前記表示制御部は、前記閲覧項目を指定したユーザの前記家族情報と、対応する前記収集情報とに基づいて、前記収集情報の少なくとも一部を秘匿した画面若しくは秘匿しない画面を前記表示装置に表示させる、
請求項１に記載のコントローラ。
【請求項３】
前記家族情報と、前記収集情報とに基づいて、前記収集情報に対する秘匿の要否を設定する設定部を更に備え、
前記表示制御部は、前記設定部により設定された秘匿の要否に基づいて、前記閲覧項目を指定したユーザに応じた画面を前記表示装置に表示させる、
請求項２に記載のコントローラ。
【請求項４】
前記設定部に設定された秘匿の要否に従って、前記収集情報の少なくとも一部を削除又は統合する加工部を更に備え、
前記表示制御部は、前記閲覧項目を指定したユーザに応じて、前記加工部により削除又は統合された前記収集情報を含む画面を前記表示装置に表示させる、
請求項３に記載のコントローラ。
【請求項５】
前記加工部は、時間経過に伴う変化の有無が明らかとなるように、前記収集情報を抽象化し、
前記表示制御部は、前記閲覧項目を指定したユーザに応じて、前記加工部により抽象化された前記収集情報を含む画面を前記表示装置に表示させる、
請求項４に記載のコントローラ。
【請求項６】
第１の居住領域及び第２の居住領域に配置された家電機器を管理するコントローラの画面生成方法であって、
閲覧するユーザの家族情報と、閲覧対象となる前記家電機器に関する収集情報とに基づいて、当該収集情報の少なくとも一部を秘匿した画面若しくは秘匿しない画面を表示装置に表示させる表示制御ステップ、
を備える画面生成方法。
【請求項７】
第１の居住領域及び第２の居住領域に配置された家電機器を管理するコンピュータを、
閲覧するユーザの家族情報と、閲覧対象となる前記家電機器に関する収集情報とに基づいて、当該収集情報の少なくとも一部を秘匿した画面若しくは秘匿しない画面を表示装置に表示させる表示制御部、
として機能させるプログラム。
【発明の詳細な説明】
【技術分野】
【０００１】
本発明は、二世帯住宅等に導入されたホームシステムにおいて、プライバシー保護の観点から、閲覧する情報を適切に制限できる技術に関する。
【背景技術】
【０００２】
近年、一般家庭において、宅内に配置した種々の家電機器を規定の通信規格で接続したホームシステム（一例として、エネルギーマネジメントシステム等）が普及している。このホームシステムでは、例えば、エアコン，照明機器，炊飯器，ＩＨ調理器，除湿機，換気扇，給湯器といった種々の家電機器が通信可能に接続され、各家電機器の管理（モニタリングや制御）が適切に行えるようになっている。【０００３】
最近では、このようなホームシステムが、例えば、二世帯住宅、シェアハウス、並びに、マンション等にも導入されつつある。その場合、各世帯における（各居住領域に配置された）家電機器がホームシステムにて一元管理されるため、他の世帯の情報について無制限に閲覧させないようにするなど、プライバシーの保護が求められるようになる。【０００４】
プライバシー保護を行う先行技術として、例えば、特許文献１には、個人識別したユーザに応じた部屋等についてだけ、電力使用状況を表示するホームシステム（電力制御システム）が開示されている。
【先行技術文献】
【特許文献】
【０００５】
【特許文献１】特開２０１０−２８８３８８号公報
【発明の概要】
【発明が解決しようとする課題】
【０００６】
しかしながら、上述した特許文献１の技術を二世帯住宅等に導入されたホームシステムに適用しても、他の世帯の情報について細やかな制限ができないと予想される。つまり、特許文献１の技術を二世帯住宅等に導入されたホームシステムに適用した場合、個人識別したユーザは、他の世帯の情報を一切閲覧できず、自分の世帯の情報だけを閲覧できることになる。このような厳格な制限は、面識等のない世帯間であれば適切であるものの、世帯間の交流がある程度盛んな二世帯住宅等では、あまり適切とは言えない。【０００７】
そのため、二世帯住宅等に導入されたホームシステムにおいて、世帯間の交流を踏まえて、閲覧する情報を適切に制限できる技術が求められていた。【０００８】
本発明は、上記のような問題点を解決するためになされたもので、二世帯住宅等において、プライバシーの保護を適切に図ることのできるコントローラ、画面生成方法、及び、プログラムを提供することを目的とする。
【課題を解決するための手段】
【０００９】
上記目的を達成するために、本発明に係るコントローラは、
第１の居住領域及び第２の居住領域に配置された家電機器を管理するコントローラであって、
閲覧するユーザの家族情報と、閲覧対象となる前記家電機器に関する収集情報とに基づいて、当該収集情報の少なくとも一部を秘匿した画面若しくは秘匿しない画面を表示装置に表示させる表示制御部、
を備える。
【発明の効果】
【００１０】
本発明によれば、二世帯住宅等において、プライバシーの保護を適切に図ることができる。
【図面の簡単な説明】
【００１１】
【図１】本発明の第１の実施形態に係るホームシステムの全体構成の一例を示す模式図である。
【図２】コントローラの構成の一例を示すブロック図である。
【図３】家族情報の一例を示す模式図である。
【図４Ａ】画面生成部が生成する画面の一例を示す模式図である。
【図４Ｂ】画面生成部が生成する画面の一例を示す模式図である。
【図５】家電機器の構成の一例を示すブロック図である。
【図６】端末装置の構成の一例を示すブロック図である。
【図７】初期設定処理の一例を示すフローチャートである。
【図８】画面生成処理の一例を示すフローチャートである。
【図９Ａ】シェアハウスにホームシステムが導入された場合の家族情報の一例を示す模式図である。
【図９Ｂ】マンションにホームシステムが導入された場合の家族情報の一例を示す模式図である。
【図９Ｃ】一世帯住宅にホームシステムが導入された場合の家族情報の一例を示す模式図である。
【図１０Ａ】画面生成部が生成する機器制御画面の一例を示す模式図である。
【図１０Ｂ】画面生成部が生成する機器制御画面の一例を示す模式図である。
【図１１】本発明の第２の実施形態に係るホームシステムの全体構成の一例を示す模式図である。
【図１２】家族情報の一例を示す模式図である。
【図１３】画面生成部が生成する画面の一例を示す模式図である。
【図１４】家族情報の一例を示す模式図である。
【図１５】他の実施形態に係るホームシステムの全体構成の一例を示す模式図である。
【発明を実施するための形態】
【００１２】
以下、本発明の実施形態について、図面を参照しながら詳細に説明する。なお、図中同一又は相当部分には同一符号を付す。以下では、具体例として、本発明が二世帯住宅に導入されたホームシステムに適用される場合について説明するが、後述するように、シェアハウス、寮、並びに、マンション等に導入されたホームシステムについても同様に本発明を適用することができる。すなわち、以下に説明する実施形態は説明のためのものであり、本発明の範囲を制限するものではない。従って、当業者であればこれらの各要素又は全要素をこれと均等なものに置換した実施形態を採用することが可能であるが、これらの実施形態も本発明の範囲に含まれる。
【００１３】
（第１の実施形態）
図１は、本発明の第１の実施形態に係るホームシステム１の全体構成の一例を示す模式図である。このホームシステム１は、二世帯住宅（例えば、親世帯の居住領域と子世帯の居住領域）に導入されたもので、コントローラ１０が中心となり、家電機器２０（２０ａ、２０ｂ）との間で必要なデータを送受信しつつ、家電機器２０を管理（モニタリングや制御）するシステムである。図示するように、ホームシステム１には、住居Ｈ内（二世帯住宅内）にコントローラ１０と、家電機器２０と、端末装置３０（３０ａ，３０ｂ）と、電力計測装置４０（４０ａ，４０ｂ）が配置されている。コントローラ１０と、家電機器２０と、端末装置３０とは、例えば、有線ＬＡＮ（Local Area Network）や無線ＬＡＮからなる宅内ネットワーク９０を介して通信可能に接続されている。
【００１４】
コントローラ１０は、ホームシステム１全体を制御する装置である。コントローラ１０は、家電機器２０から機器に関する情報（例えば、稼働状態、制御状態、稼働履歴、温度、並びに、湿度等）を取得（収集）する。また、コントローラ１０は、電力計測装置４０からエネルギーに関する情報（例えば、消費電力、及び、電気料金等）を取得する。そして、コントローラ１０は、端末装置３０から情報の閲覧が要求されると、後述するように、他の世帯の情報について無制限に閲覧させないように、情報を秘匿又は加工した画面データを生成して、端末装置３０に提供する。
【００１５】
このコントローラ１０の構成の一例について、以下、図２を参照して説明する。図２は、コントローラ１０の構成の一例を示すブロック図である。図示するように、コントローラ１０は、通信部１１と、画像生成部１２と、データ記憶部１３と、制御部１４とを備える。
【００１６】
通信部１１は、例えば、宅内ネットワーク９０と接続するための通信アダプタであり、制御部１４による制御の下、宅内ネットワーク９０を介して、家電機器２０及び端末装置３０との通信を行う。例えば、通信部１１は、コントローラ１０からの要求に応じて各家電機器２０から送られる機器情報を受信する。また、通信部１１は、画像生成部１２が生成した画面データを端末装置３０に送信する。
【００１７】
画像生成部１２は、端末装置３０に提供するための画面データを生成する。例えば、画像生成部１２は、データ記憶部１３に記憶された情報（後述する家族情報１３１等）、及び、制御部１４（後述する情報加工部１４３等）の制御に応じた、画面データを生成する。なお、具体的な画面データについては、後述する制御部１４と共に説明する。
【００１８】
データ記憶部１３は、例えば、不揮発性の半導体メモリなどで構成され、種々の情報を記憶する。一例として、データ記憶部１３は、家族情報１３１と、機器情報１３２と、エネルギー情報１３３と、メッセージ情報１３４と、スケジュール情報１３５とを記憶する。
【００１９】
家族情報１３１は、二世帯住宅に居住する家族についての情報であり、具体的に、図３に示すように、世帯関係、家族構成、閲覧項目、及び、秘匿区分が含まれている。世帯関係は、世帯間の関係（一例として、「親世帯」及び「子世帯」）を示す情報である。家族構成は、各世帯における家族の構成を示す情報である。なお、図３では、省略されているが、家族構成には、年齢や性別等も含まれている。
【００２０】
閲覧項目は、端末装置３０からの閲覧時に指定（選択）可能な項目を示している。なお、閲覧項目には、機器情報１３２、エネルギー情報１３３、メッセージ情報１３４、及び、スケジュール情報１３５の何れか（複数の場合もあり）が対応付けられている。例えば、「電気料金」の閲覧項目には、エネルギー情報１３３が対応付けられており、また、「機器制御」の閲覧項目には、機器情報１３２が対応付けられている。
【００２１】
秘匿区分は、他の世帯の端末装置３０から対象の閲覧項目が指定された際に、秘匿が必要（「非公開」や「一部非公開」）か不要（「公開」）かを示している。なお、「一部非公開」とは、一部の情報に対して、秘匿が必要であることを示している。具体的には図３において、「機器制御」（閲覧項目）の秘匿区分が「一部非公開」と設定されているが、この場合、例えば、家電機器２０（他の世帯の家電機器２０）の稼働状態までは表示（閲覧）できるが、制御ボタン（オンやオフ）は表示されない等である。
【００２２】
これらの情報の他に、家族情報１３１には、各ユーザ（二世帯住宅内の家人）を認証するためのパスワード等が含まれていてもよい。
【００２３】
図２に戻って、機器情報１３２は、家電機器２０についての情報であり、例えば、稼働状態、制御状態、並びに、稼働履歴、温度、並びに、湿度等が含まれている。この機器情報１３２は、一例として、上述した図３における「機器制御」の閲覧項目に対応付けられている。
【００２４】
エネルギー情報１３３は、家電機器２０や世帯全体のエネルギーについての情報であり、例えば、消費電力、及び、電気料金等が含まれている。このエネルギー情報１３３は、一例として、上述した図３における「電気料金」の閲覧項目に対応付けられている。
【００２５】
メッセージ情報１３４は、各ユーザが発信（送信）又は受信したメッセージ（一例として、電子メールや各種ショートメッセージ等）の情報である。なお、世帯内又は、世帯間（二世帯のユーザ内）で送受信されたメッセージだけを、メッセージ情報１３４として、記憶されるようにしてもよい。このメッセージ情報１３４は、一例として、上述した図３における「メッセージ」の閲覧項目に対応付けられている。
【００２６】
スケジュール情報１３５は、各ユーザの行動予定や世帯全体の行事予定等の情報である。このスケジュール情報１３５は、一例として、上述した図３における「スケジュール」の閲覧項目に対応付けられている。
【００２７】
図２に戻って、制御部１４は、ＣＰＵ（Central Processing Unit），ＲＯＭ（Read Only Memory），ＲＡＭ（Random Access Memory）など（何れも図示せず）を備え、コントローラ１０全体を制御する。制御部１４は、機能的には、情報収集部１４１と、秘匿設定部１４２と、情報加工部１４３と、指令部１４４とを備える。これらの機能は、ＣＰＵが、ＲＡＭをワークメモリとして用い、例えば、ＲＯＭに記憶されている各種プログラム（後述する画面生成処理のプログラムなど）を適宜実行することにより実現される。
【００２８】
情報収集部１４１は、家電機器２０についての情報、家電機器２０や世帯全体のエネルギーについての情報、ユーザが発信又は受信したメッセージの情報、及び、ユーザの行動予定や世帯全体の行事予定等の情報を収集する。例えば、情報収集部１４１は、通信部１１を制御し、例えば、一定時間毎に家電機器２０にアクセスし、稼働状態、制御状態、並びに、稼働履歴、温度（対象の家電機器２０から得られる場合）、並びに、湿度（対象の家電機器２０から得られる場合）等の情報を取得する。情報収集部１４１は、取得した情報に従って、上述した機器情報１３２を更新する。この他にも、情報収集部１４１は、例えば、一定時間毎に電力計測装置４０にアクセスし、消費電力、及び、電気料金等の情報を取得する。情報収集部１４１は、取得した情報に従って、上述したエネルギー情報１３３を更新する。
【００２９】
秘匿設定部１４２は、初期設定時において、上述した図３の家族情報１３１における秘匿区分を、家族情報１３１（何れかの情報）と、閲覧項目に対応付けられた情報（つまり、収集された情報）とに基づいて、自動設定する。例えば、図３の家族情報１３１を一例とすると、秘匿設定部１４２は、世帯関係や家族構成、若しくは、閲覧項目に関連付けられた情報に応じて、秘匿区分を設定する。
【００３０】
具体的に、「電気料金」の閲覧項目についての秘匿区分は、原則、どちらも「非公開」に設定されるが、子世帯の「父」等の年齢が基準値よりも低い場合には、子世帯側の「電気料金」の秘匿区分が「公開」と設定され、一方、親世帯の「祖父」等の年齢が基準値よりも高い場合には、親世帯側の「電気料金」の秘匿区分が「公開」と設定される。つまり、子世帯が若夫婦の場合には、親世帯側の端末装置３０から子世帯の電気料金が閲覧でき、一方、親世帯が高齢夫婦の場合には、子世帯側の端末装置３０から親世帯の電気料金が閲覧できるように、秘匿設定部１４２によって秘匿区分が設定される。この他の閲覧項目についての秘匿区分も、世帯関係や家族構成等に応じて、秘匿設定部１４２によって設定される。
【００３１】
なお、このように、秘匿設定部１４２によって、秘匿区分が初期設定された後に、ユーザの変更操作に応じて、秘匿区分を任意に再設定可能となっている。つまり、秘匿設定部１４２は、ユーザの指示に従って、秘匿区分を再設定する。例えば、図３の家族情報１３１を一例とすると、「機器制御」の閲覧項目についての秘匿区分は、どちらも「非公開」に初期設定されているが、親世帯側の端末装置３０から親世帯の「機器制御」の秘匿区分を「一部非公開」に変更する操作が行われた場合に、秘匿設定部１４２は、その変更操作に従って、親世帯の「機器制御」の秘匿区分を「一部非公開」に再設定する。なお、秘匿設定部１４２は、変更操作が要求された際に、パスワードを要求するなどして、特定のユーザからの変更操作に限り、秘匿区分を再設定するようにしてもよい。
【００３２】
情報加工部１４３は、データ記憶部１３に記憶された情報を、適宜加工する。例えば、情報加工部１４３は、他の世帯の情報の閲覧が要求された際に、上述した図３の家族情報１３１における秘匿区分に従って、対応する情報の少なくとも一部を削除又は統合する。具体的に、図３における「電気料金」の閲覧項目が、子世帯側の端末装置３０から閲覧要求された場合に、情報加工部１４３は、秘匿区分が「非公開」に設定されている親世帯の情報をエネルギー情報１３３から読み出さずに、子世帯の情報だけをエネルギー情報１３３から読み出して、画像生成部１２に供給する。そして、画像生成部１２は、図４Ａに示すような画面データを生成する。つまり、子世帯（Ｂ家）だけの電気料金の画面データを生成する。
【００３３】
一方、図３における「電気料金」の閲覧項目が、親世帯側の端末装置３０から閲覧要求された場合に、情報加工部１４３は、秘匿区分が「公開」に設定されている子世帯の情報、及び、親世帯の情報をエネルギー情報１３３から読み出して、画像生成部１２に供給する。そして、画像生成部１２は、図４Ｂに示すような画面データを生成する。つまり、親世帯（Ａ家）及び子世帯（Ｂ家）の電気料金の画面データを生成する。
【００３４】
この他にも、情報加工部１４３は、秘匿区分が「一部非公開」に設定されている場合に、データ記憶部１３に記憶された情報から、一部を間引いて読み出したり（一部の情報を削除）、一部の値を合算する（一部の情報を統合）などの加工を行う。より具体的には、図３における「電気料金」の閲覧項目についての秘匿区分が「一部非公開」に設定されている場合に、情報加工部１４３は、一定時間帯の情報だけをエネルギー情報１３３から間引いて読み出したり、また、料金が最大となる時間帯の情報だけをエネルギー情報１３３から間引いて読み出したり、更に、間引いて読み出した情報の値を合算するなどの加工を行う。また、情報加工部１４３は、他の世帯の電気料金を自分の世帯の電気料金に合算して、二世帯全体の電力料金に加工するなどしてもよい。
【００３５】
図２に戻って、指令部１４４は、通信部１１を通じて、対象の家電機器２０に制御を指令する。例えば、上述した図３における「機器制御」の閲覧項目が要求され、情報加工部１４３によって生成された画面データが端末装置３０に表示された状態で、ユーザが任意の家電機器２０に対する操作を入力すると、指令部１４４は、入力された操作に応じた制御コマンドを、通信部１１を通じて、対象の家電機器２０に送信する。
【００３６】
図１に戻って、家電機器２０（２０ａ，２０ｂ）は、住居Ｈ内の各世帯で使用される各種電化製品である。一例として、家電機器２０ａは、親世帯の居住領域に配置された電化製品であり、また、家電機器２０ｂは、子世帯の居住領域に配置された電化製品である。家電機器２０は、例えば、エアコン、テレビ、ＩＨ調理器、冷蔵庫、照明機器、空気清浄機、換気扇、並びに、床暖房等が含まれる。このような家電機器２０の構成の一例について、以下、図５のブロック図を参照して説明する。図示するように、家電機器２０は、通信部２１と、データ記憶部２２と、主機能部２３と、制御部２４と、を備える。
【００３７】
通信部２１は、例えば、宅内ネットワーク９０と接続するための通信アダプタであり、制御部２４の制御の下、宅内ネットワーク９０を介して、コントローラ１０と通信を行う。なお、通信部２１を、着脱可能な外付けの通信アダプタで構成してもよい。
【００３８】
データ記憶部２２は、例えば、不揮発性の半導体メモリなどで構成され、家電機器２０についての情報（例えば、制御状態、並びに、稼働履歴、温度、並びに、湿度等）を記憶する。また、データ記憶部２２は、制御部２４が実行するプログラムなども記憶する。
【００３９】
主機能部２３は、家電機器２０本来の機能（例えば、エアコンであれば冷房、暖房、及び、除湿などの空調機能、冷蔵庫であれば冷凍、及び、冷蔵機能など）を実現するための構成であり、制御部２４により制御される。
【００４０】
制御部２４は、ＣＰＵ，ＲＡＭ，ＲＯＭなど（何れも図示せず）を備え、家電機器２０全体を制御する。制御部２４は、機能的には、データ処理部２４１と、制御実行部２４２とを備える。これらの機能は、ＣＰＵが、ＲＡＭをワークメモリとして用い、ＲＯＭやデータ記憶部２２に記憶されている各種プログラムを適宜実行することにより実現される。
【００４１】
データ処理部２４１は、家電機器２０の図示せぬセンサなどによる計測値や、稼働状態や設定状態などの監視結果から、逐次、データ記憶部２２に記憶される情報を更新する。そして、データ処理部２４１は、コントローラ１０からの要求に応じて、データ記憶部２２に記憶される情報をコントローラ１０に送信する。
【００４２】
制御実行部２４２は、コントローラ１０における上述した指令部１４４の指令に基づいた制御を、主機能部２３に実行させる。つまり、制御実行部２４２は、コントローラ１０から発せられた指令（制御信号など）に応じた処理を主機能部２３に実行させる。
【００４３】
図１に戻って、端末装置３０（３０ａ，３０ｂ）は、例えば、タブレット端末やスマートフォンなどの携帯端末である。一例として、端末装置３０ａは、親世帯で使用される携帯端末であり、また、端末装置３０ｂは、子世帯で使用される携帯端末である。この端末装置３０の構成の一例について、以下、図６のブロック図を参照して説明する。図示するように、端末装置３０は、通信部３１と、表示部３２と、入力部３３と、データ記憶部３４と、制御部３５と、を備える。
【００４４】
通信部３１は、例えば、無線ＬＡＮ接続用のインタフェースを備え、制御部３５の制御の下、コントローラ１０と通信を行う。
【００４５】
表示部３２は、液晶パネルなどを備え、制御部３５の制御の下、種々の画面などを表示する。具体的に表示部３２は、一例として、コントローラ１０から送られた画面データから上述した図４Ａ，４Ｂに示すような画面を表示する。この場合、子世帯で使用される端末装置３０ｂの表示部３２は、図４Ａに示す子世帯（Ｂ家）だけの電気料金の画面を表示する。一方、親世帯で使用される端末装置３０ａの表示部３２は、図４Ｂに示す親世帯（Ａ家）及び子世帯（Ｂ家）の電気料金の画面を表示する。
【００４６】
入力部３３は、タッチパネル，タッチパッドなどから構成され、ユーザからの操作入力を受け付ける処理を行う。例えば、入力部３３としてタッチパネルを採用する場合、静電容量の変化を検出する透明な平板状の静電容量センサが、液晶表示器に重ねて実装される。この静電容量センサにより、ユーザの指先や専用のペンなどによるタッチ面（ユーザにとっては液晶表示器の表示画面）の接触（押圧）が検出されると、その位置の情報（座標データ）が制御部３５に出力される。
【００４７】
データ記憶部３４は、例えば、不揮発性の半導体メモリなどで構成される。データ記憶部３４は、コントローラ１０にて生成され、通信部３１を通じて受信した画面データを一時的に記憶する。この他にもデータ記憶部３４は、制御部３５が実行するプログラムなどを記憶する。
【００４８】
制御部３５は、ＣＰＵ，ＲＯＭ，ＲＡＭなど（何れも図示せず）を備え、端末装置３０全体を制御する。制御部３５は、機能的には、画面表示処理部３５１と入力検出部３５２とを備える。この機能は、ＣＰＵが、ＲＡＭをワークメモリとして用い、ＲＯＭやデータ記憶部３４に記憶されている各種プログラムを適宜実行することにより実現される。
【００４９】
画面表示処理部３５１は、通信部３１を通じて、コントローラ１０から送られた画面データに基づく画面（上述した図４Ａ，４Ｂに示すような画面）を、表示部３２に表示する。
【００５０】
入力検出部３５２は、表示部３２に表示した画面の項目（例えば、メニュー画面における閲覧項目等）に対するユーザからの操作を入力部３３から受け付けると、入力検出データを生成して、通信部３１を通じて、コントローラ１０に送信する。
【００５１】
図１に戻って、電力計測装置４０（４０ａ，４０ｂ）は、例えば、家電機器２０に電力を供給する電力線８０（８０ａ，８０ｂ）に配置されたＣＴ（Current Transformer）等である。一例として、電力計測装置４０ａは、親世帯の電力線８０ａに配置されたＣＴであり、また、電力計測装置４０ｂは、子世帯の電力線８０ｂに配置されたＣＴである。電力計測装置４０は、例えば、一定時間毎に、消費電力、及び、電気料金を計測し、コントローラ１０に計測結果を通知する。
【００５２】
以下、本発明の実施形態に係るコントローラ１０の動作について、図７及び図８を参照して説明する。図７は、初期設定処理の一例を示すフローチャートである。また、図８は、画面生成処理の一例を示すフローチャートである。
【００５３】
最初に、図７の初期設定処理について、説明する。この初期設定処理は、ホームシステム１の導入時（設置時）等に、上述した図３の家族情報１３１における秘匿区分を自動設定するための処理である。
【００５４】
まず、コントローラ１０は、端末装置３０から入力される家族情報を取得する（ステップＳ１０１）。つまり、制御部１４は、通信部１１を介して端末装置３０から送られた家族に関する情報を取得すると、家族情報１３１としてデータ記憶部１３に格納する。なお、現時点では、家族情報１３１における秘匿区分は空欄となっている。
【００５５】
コントローラ１０は、秘匿区分を自動設定する（ステップＳ１０２）。すなわち、秘匿設定部１４２は、家族情報１３１（何れかの情報）と、閲覧項目に対応付けられた情報（つまり、収集された情報）とに基づいて、秘匿区分を自動設定する。例えば、図３の家族情報１３１を一例とすると、秘匿設定部１４２は、世帯関係や家族構成、若しくは、閲覧項目に関連付けられた情報に応じて、秘匿区分を設定する。
【００５６】
一例として、「電気料金」の秘匿区分について、秘匿設定部１４２は、原則、どちらも「非公開」に設定するが、子世帯の「父」等の年齢が基準値よりも低い場合に、子世帯側の「電気料金」の秘匿区分を「公開」と設定する。一方、親世帯の「祖父」等の年齢が基準値よりも高い場合に、秘匿設定部１４２は、親世帯側の「電気料金」の秘匿区分を「公開」と設定する。この他の閲覧項目の秘匿区分についても、秘匿設定部１４２は、世帯関係や家族構成等に応じて、設定する。
【００５７】
このような初期設定処理によって、家族情報１３１における秘匿区分が、家族情報１３１（何れかの情報）と、閲覧項目に対応付けられた情報（つまり、収集された情報）とに基づいて、自動設定される。そのため、ユーザの手間を省きつつ、家族情報１３１と、閲覧項目に対応付けられた情報とに応じた秘匿区分を設定できる。
【００５８】
なお、このようにして秘匿区分が初期設定された後に、ユーザの変更操作に応じて、秘匿区分を任意に再設定可能となっている。つまり、秘匿設定部１４２は、ユーザの指示に従って、秘匿区分を再設定する。例えば、図３の家族情報１３１を一例とすると、「機器制御」の閲覧項目についての秘匿区分は、どちらも「非公開」に初期設定されているが、親世帯側の端末装置３０から親世帯の「機器制御」の秘匿区分を「一部非公開」に変更する操作が行われた場合に、秘匿設定部１４２は、その変更操作に従って、親世帯の「機器制御」の秘匿区分を「一部非公開」に再設定する。なお、秘匿設定部１４２は、変更操作が要求された際に、パスワードを要求するなどして、特定のユーザからの変更操作に限り、秘匿区分を再設定するようにしてもよい。
【００５９】
次に、図８の画面生成処理について、説明する。この画面生成処理は、ユーザに操作される端末装置３０から閲覧項目が指定された閲覧要求に応答して開始される。なお、端末装置３０の識別情報（例えば、ＭＡＣアドレス等）から、閲覧を要求したのが、二世帯における親世帯であるか子世帯であるかが、判別可能であるものとする。
【００６０】
まず、コントローラ１０は、端末装置３０から指定された閲覧項目の秘匿区分を参照する（ステップＳ２０１）。つまり、制御部１４は、上述した図３に示す家族情報１３１をデータ記憶部１３から読み出し、指定された閲覧項目の秘匿区分（他の世帯における閲覧項目の秘匿区分）を参照する。
【００６１】
コントローラ１０は、参照した秘匿区分が公開であるか否かを判別する（ステップＳ２０２）。つまり、制御部１４は、指定された閲覧項目に対応付けられた情報について秘匿が不要であるかどうかを判別する。
【００６２】
コントローラ１０は、秘匿区分が公開であると判別すると（ステップＳ２０２；Ｙｅｓ）、対象情報から画面（画面データ）を生成する（ステップＳ２０３）。例えば、図３における「電気料金」の閲覧項目が、親世帯側の端末装置３０から閲覧要求され、子世帯の秘匿区分が「公開」に設定されている場合に、情報加工部１４３は、子世帯の情報、及び、親世帯の情報をエネルギー情報１３３から読み出して、画像生成部１２に供給する。そして、画像生成部１２は、図４Ｂに示すような画面データを生成する。つまり、親世帯（Ａ家）及び子世帯（Ｂ家）の電気料金の画面データを生成する。
【００６３】
また、上述したステップＳ２０２にて、秘匿区分が公開でないと判別した場合（ステップＳ２０２；Ｎｏ）に、コントローラ１０は、参照した秘匿区分が一部非公開であるか否かを判別する（ステップＳ２０４）。つまり、制御部１４は、指定された閲覧項目に対応付けられた情報について一部秘匿が必要であるかどうかを判別する。
【００６４】
コントローラ１０は、秘匿区分が一部非公開であると判別すると（ステップＳ２０４；Ｙｅｓ）、対象情報を加工した画面を生成する（ステップＳ２０５）。例えば、図３における「電気料金」の閲覧項目の秘匿区分が「一部非公開」に設定されている場合に、情報加工部１４３は、一定時間帯の情報だけをエネルギー情報１３３から間引いて読み出したり、また、料金が最大となる時間帯の情報だけをエネルギー情報１３３から間引いて読み出したり、更に、間引いて読み出した情報の値を合算するなどの加工を行う。また、情報加工部１４３は、他の世帯の電気料金を自分の世帯の電気料金に合算して、二世帯全体の電力料金に加工するなどしてもよい。そして、画像生成部１２は、情報加工部１４３によって加工された情報に従って、電気料金の画面データを生成する。
【００６５】
一方、秘匿区分が一部非公開でない（非公開である）と判別した場合（ステップＳ２０４；Ｎｏ）に、コントローラ１０は、対象情報を省いた画面を生成する（ステップＳ２０６）。例えば、図３における「電気料金」の閲覧項目が、子世帯側の端末装置３０から閲覧要求され、親世帯の秘匿区分が「非公開」に設定されている場合に、情報加工部１４３は、親世帯の情報をエネルギー情報１３３から読み出さずに、子世帯の情報だけをエネルギー情報１３３から読み出して、画像生成部１２に供給する。そして、画像生成部１２は、図４Ａに示すような画面データを生成する。つまり、子世帯（Ｂ家）だけの電気料金の画面データを生成する。
【００６６】
そして、コントローラ１０は、生成した画面（画面データ）を端末装置３０に送信する（ステップＳ２０７）。
【００６７】
このような画面生成処理において、家族情報１３１における秘匿区分に基づいて、閲覧項目を指定したユーザに応じた画面が生成される。このため、家族によって、どこまでの情報を公開するのか等を設定でき、二世帯住宅等において、プライバシーの保護を適切に図ることができる。また、情報加工部１４３による一部の情報の削除や統合等の加工により、更に細かく、プライバシーの保護を図ることができる。
【００６８】
上記の第１の実施形態では、ホームシステム１が、二世帯住宅に導入された場合を一例として説明したが、二世帯住宅以外にも適宜適用可能である。例えば、シェアハウス、マンション、並びに、一世帯住宅等にホームシステム１を導入する場合にも、同様に適用可能である。
【００６９】
具体的に、シェアハウスにホームシステム１が導入された場合は、各入居者の居住領域（各部屋）に配置された家電機器２０を管理するコントローラ１０において、図９Ａに示すような家族情報１３１がデータ記憶部１３に記憶される。図９Ａの家族情報１３１には、世帯関係、閲覧項目、及び、秘匿区分の情報が含まれている。なお、この家族情報１３１にも、上述した図３と同様に、家族構成を含めるようにしてもよい。また、入居者世帯は、各部屋に応じて、複数設けられている。
【００７０】
また、マンションにホームシステム１が導入された場合は、各入居者の占有領域（各戸）や共有領域（例えば、廊下やロビー等の共有部）に配置された家電機器２０を管理するコントローラ１０において、図９Ｂに示すような家族情報１３１がデータ記憶部１３に記憶される。図９Ｂの家族情報１３１には、世帯関係、閲覧項目、及び、秘匿区分の情報が含まれている。なお、この家族情報１３１にも、上述した図３と同様に、家族構成を含めるようにしてもよい。また、入居者世帯は、各戸に応じて、複数設けられている。更に、管理人世帯の電気料金や制御機器は、共有部の家電機器２０についての情報が対象となる。
【００７１】
また、一世帯住宅にホームシステム１が導入された場合は、各ユーザの居住領域（各部屋）に配置された家電機器２０を管理するコントローラ１０において、図９Ｃに示すような家族情報１３１がデータ記憶部１３に記憶される。図９Ｃの家族情報１３１には、家族関係（親や子供、その他、年齢を含めてもよい）、閲覧項目、及び、秘匿区分の情報が含まれている。なお、図９Ｃの例では、秘匿区分が全て「公開」に設定されているが、子供の年齢が基準値よりも低い場合に、「機器制御」の秘匿区分を「一部非公開」に設定し、例えば、自分の部屋の家電機器２０だけを制御可能に表示するようにしてもよい。
【００７２】
より具体的には、親（父や母）が端末装置３０を操作する際には、図１０Ａに示すように、どの部屋のエアコン（家電機器２０の一例）も制御可能に表示されるものの、子供が端末装置３０を操作する際には、図１０Ｂに示すように、自分の部屋のエアコンだけが制御可能に表示される。なお、「一部非公開」による制限内容は、これ以外であってもよい。例えば、子供が端末装置３０を操作する際には、家電機器２０の稼働状態等を表示するだけで、運転のオン・オフボタンなどを表示せずに、実際の制御が行えないようにしてもよい。
【００７３】
上記の第１の実施形態では、ホームシステム１が、二世帯住宅等のような同一建物内に導入された場合を一例として説明したが、遠隔地の住宅を繋ぐホームシステム１を導入してもよい。以下、本発明の第２の実施形態に係るホームシステム１について、説明する。
【００７４】
（第２の実施形態）
図１１は、本発明の第２の実施形態に係るホームシステム１の全体構成の一例を示す模式図である。このホームシステム１は、遠隔地の住宅Ｈ（例えば、親世帯の居住領域である住宅Ｈａと子世帯の居住領域である住宅Ｈｂ）をサーバ７０（一例として、インターネット上のサーバ７０）を介して繋ぎ、見守り（安否確認）も行えることを特徴としている。つまり、コントローラ１０ａとコントローラ１０ｂとがサーバ７０を介して必要な情報を送受信できること以外は、家電機器２０（２０ａ、２０ｂ）、端末装置（３０ａ，３０ｂ）、電力計測装置４０（４０ａ，４０ｂ）、及び、宅内ネットワーク９０（９０ａ，９０ｂ）は、上述した図１のホームシステム１の構成と同様である。
【００７５】
なお、コントローラ１０のデータ記憶部１３には、図１２に示すような家族情報１３１が記憶される。この家族情報１３１には、図３の秘匿区分に代えて、見守り区分の情報が含まれている。なお、図３に見守り区分を加えた家族情報１３１をデータ記憶部１３に記憶してもよい。
【００７６】
見守り区分は、他の世帯の端末装置３０から対象の閲覧項目が指定された際に、見守りが必要（「概略監視」）か不要（「対象外」）かを示している。なお、「概略監視」とは、対象情報をそのまま表示するのではなく、対象情報について時間経過に伴う変化の有無が明らかとなる程度に監視することを示している。なお、図１２の例では、親世帯側にだけ見守り区分が設定されており、子世帯側には見守り区分が省略されている状態を示している。
【００７７】
そして、コントローラ１０の情報加工部１４３は、図１２の家族情報１３１における見守り区分に従って、時間経過に伴う変化の有無が明らかとなるように、対象情報を抽象化する。例えば、図１２における「電気料金」の閲覧項目が、子世帯側の端末装置３０から閲覧要求された場合に、情報加工部１４３は、見守り区分が「概略監視」に設定されているため、エネルギー情報１３３から読み出した情報について、時間経過に伴う変化の有無が明らかとなるように、抽象化する。一例として、情報加工部１４３は、一定時間帯における電気料金を「低」，「中」，「高」の何れかで表して、時間経過に伴う電気料金（電力使用量）の変化の有無が明らかとなるように抽象化する。
【００７８】
具体的に、情報加工部１４３は、図１３に示すような画面データを生成する。つまり、子世帯（Ａ家）の電気料金の情報については、通常通り詳細に作成し、一方、親世帯（Ａ家）の電気料金の情報については、抽象化して作成する。このような画面データが子世帯の端末装置３０に送られて表示されると、抽象化した電気料金の情報から、時間経過に伴う電気料金の変化の有無が読み取れるため、プライバシーを適切に保護しつつ、親世帯を見守ることができる。
【００７９】
上記の第２の実施形態では、見守りを行うために、情報加工部１４３が、一例として、電気料金の情報を基に、時間経過に伴う変化の有無が明らかとなるように加工する場合について説明したが、他の情報に基づいて、加工を行うようにしてもよい。例えば、情報加工部１４３は、特定の家電機器２０の使用状況や稼働状況を基に、時間経過に伴う変化の有無が明らかとなるように加工してもよい。具体的には、冷蔵庫の開閉回数、電気ポットの注水回数、並びに、トイレの電灯のオン／オフ回数など、見守り対象となる親世帯のユーザが日常的に使用する家電機器２０の使用状況や稼働状況を基に、時間経過に伴う変化の有無が明らかとなるように加工してもよい。
【００８０】
更に、見守り対象となる親世帯の家電機器２０から明らかに異常な状況が把握された場合には、プライバシーの保護よりも安全を優先させるようにしてもよい。例えば、家電機器２０から温度が得られる場合において、得られた温度が通常（標準値）よりも極端に高い若しくは極端に低い状況が生じると、コントローラ１０は、親世帯側の異常を報知する画面を生成し、見守り側（子世帯）の端末装置３０に表示するようにしてもよい。また、そのような異常時には、上述した秘匿区分の設定内容に拘わらず、該当する家電機器２０を子世帯側から制御可能としてもい。具体的には、夏期や冬期において、親世帯のユーザが在宅（在室）であるにも拘わらず、親世帯のエアコンから取得した温度が、極端に高い（夏期）若しくは極端に低い（冬期）場合に、コントローラ１０は、親世帯側の異常を報知する画面を生成し、見守り側（子世帯）の端末装置３０に表示する。その際、コントローラ１０は、機器制御の秘匿区分の設定内容に拘わらず、親世帯のエアコンについての運転ボタンや温度設定ボタン等を表示して、見守り側の端末装置３０から親世帯のエアコンを制御可能とする。
【００８１】
上記の第２の実施形態では、ホームシステム１が、親世帯と子世帯とを繋ぐように導入された場合を一例として説明したが、他に、各住宅を繋ぐ地域コミュニティにホームシステム１を導入する場合にも、同様に適用可能である。
【００８２】
具体的に、地域コミュニティにホームシステム１が導入された場合は、各居住領域（各戸）に配置された家電機器２０を管理するコントローラ１０において、図１４に示すような家族情報１３１がデータ記憶部１３に記憶される。図１４の家族情報１３１には、世帯関係、閲覧項目、及び、秘匿区分の情報が含まれている。なお、この家族情報１３１にも、上述した図３と同様に、家族構成を含めるようにしてもよい。また、上述した図１２と同様に、見守り区分を含めるようにしてもよい。更に、居住者世帯は、各住宅に応じて、複数設けられている。
【００８３】
（他の実施形態）
上記の実施形態では、コントローラ１０が住宅Ｈに配置された場合について説明したが、コントローラ１０を住宅Ｈ外に配置するようにしてもよい。例えば、インターネット上のサーバ７０をコントローラ１０として機能させてもよい。
【００８４】
例えば、図１５に示すように、住宅Ｈ内には、コントローラ１０の代わりに、ルータ６０が配置されている。一方、例えば、住宅Ｈ外のインターネット上には、上述したコントローラ１０として機能させるサーバ７０が配置されている。この場合、ルータ６０とサーバ７０とが協業してコントローラ１０の役割を果たす。
【００８５】
この場合も、二世帯住宅等において、プライバシーの保護を適切に図ることができる。
【００８６】
また、上記実施形態では、専用のコントローラ１０を用いる場合について説明したが、これらコントローラ１０の動作を規定する動作プログラムを既存のパーソナルコンピュータや情報端末機器などに適用することで、当該パーソナルコンピュータなどを本発明に係るコントローラ１０として機能させることも可能である。
【００８７】
また、このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【００８８】
本発明は、広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【産業上の利用可能性】
【００８９】
本発明は、二世帯住宅等において、プライバシーの保護を適切に図ることのできるコントローラ、画面生成方法、及び、プログラムに採用され得る。
【符号の説明】
【００９０】
１  ホームシステム、１０  コントローラ、１１，２１，３１  通信部、１２  画像生成部、１３，２２，３４  データ記憶部、１４，２４，３５  制御部、２０  家電機器、２３  主機能部、３０  端末装置、３２  表示部、３３  入力部、４０  電力計測装置、６０  ルータ、７０  サーバ、９０  宅内ネットワーク、１３１  家族情報、１３２  機器情報、１３３  エネルギー情報、１３４  メッセージ情報、１３５  スケジュール情報、１４１  情報収集部、１４２  秘匿設定部、１４３  情報加工部、１４４  司令部、２４１  データ処理部、２４２  制御実行部、３５１  画面表示処理部、３５２  入力検出部
【図１】
2016147402.tif 000003
【図２】
2016147402.tif 000004
【図３】
2016147402.tif 000005
【図４Ａ】
2016147402.tif 000006
【図４Ｂ】
2016147402.tif 000007
【図５】
2016147402.tif 000008
【図６】
2016147402.tif 000009
【図７】
2016147402.tif 000010
【図８】
2016147402.tif 000011
【図９Ａ】
2016147402.tif 000012
【図９Ｂ】
2016147402.tif 000013
【図９Ｃ】
2016147402.tif 000014
【図１０Ａ】
2016147402.tif 000015
【図１０Ｂ】
2016147402.tif 000016
【図１１】
2016147402.tif 000017
【図１２】
2016147402.tif 000018
【図１３】
2016147402.tif 000019
【図１４】
2016147402.tif 000020
【図１５】
2016147402.tif 000021
【手続補正書】
【提出日】平成29年5月12日(2017.5.12)
【手続補正１】
【補正対象書類名】明細書
【補正対象項目名】０００９
【補正方法】変更
【補正の内容】
【０００９】
上記目的を達成するために、本発明に係るコントローラは、
第１の居住領域及び第２の居住領域に配置された家電機器を管理するコントローラであって、
前記第１の居住領域及び前記第２の居住領域に属する各ユーザについての家族情報であり、予め定められた閲覧項目について他居住領域に属するユーザへの秘匿の要否を規定した秘匿区分が含まれる家族情報と、閲覧対象となる前記家電機器に関する収集情報であり、前記閲覧項目に対応付けられた収集情報とに基づいて、前記閲覧項目を指定したユーザに応じて、前記収集情報の少なくとも一部を秘匿した画面若しくは秘匿しない画面を表示装置に表示させる表示制御部、
を備える。
【手続補正２】
【補正対象書類名】特許請求の範囲
【補正対象項目名】全文
【補正方法】変更
【補正の内容】
【特許請求の範囲】
【請求項１】
第１の居住領域及び第２の居住領域に配置された家電機器を管理するコントローラであって、
前記第１の居住領域及び前記第２の居住領域に属する各ユーザについての家族情報であり、予め定められた閲覧項目について他居住領域に属するユーザへの秘匿の要否を規定した秘匿区分が含まれる家族情報と、閲覧対象となる前記家電機器に関する収集情報であり、前記閲覧項目に対応付けられた収集情報とに基づいて、前記閲覧項目を指定したユーザに応じて、前記収集情報の少なくとも一部を秘匿した画面若しくは秘匿しない画面を表示装置に表示させる表示制御部、
を備えるコントローラ。
【請求項２】
前記第１の居住領域及び前記第２の居住領域に属する各ユーザについての前記家族情報であり、複数の前記閲覧項目についてそれぞれに前記秘匿区分が規定された前記家族情報を記憶する家族情報記憶部と、
前記家電機器に関する前記収集情報であり、前記複数の閲覧項目にそれぞれ対応付けられた前記収集情報を記憶する収集情報記憶部と、を更に備え、
前記表示制御部は、前記複数の閲覧項目のうち何れかの前記閲覧項目を指定したユーザが属する自居住領域における前記収集情報と、他居住領域における前記秘匿区分に応じた前記収集情報とに基づいて、前記収集情報の少なくとも一部を秘匿した画面若しくは秘匿しない画面を前記表示装置に表示させる、
請求項１に記載のコントローラ。
【請求項３】
前記表示制御部は、ユーザに指定された前記閲覧項目について、他居住領域における前記秘匿区分に、秘匿が必要と設定されている場合であれば自居住領域における前記収集情報だけを記した画面を表示させ、秘匿が不要と設定されている場合であれば自居住領域における前記収集情報と他居住領域における前記収集情報とを併記した画面を表示させる、
請求項１又は２に記載のコントローラ。
【請求項４】
前記閲覧項目には、前記家電機器を制御するための制御項目が含まれており、
前記表示制御部は、前記制御項目がユーザに指定されると、他居住領域における前記秘匿区分に、秘匿が必要と設定されている場合であれば自居住領域の前記家電機器に対する制御内容だけを記した画面を表示させ、秘匿が不要と設定されている場合であれば自居住領域の前記家電機器に対する制御内容と他居住領域の前記家電機器に対する制御内容とを併記した画面を表示させる、
請求項１又は２に記載のコントローラ。
【請求項５】
前記第１の居住領域及び前記第２の居住領域に属する各ユーザの情報に基づいて、前記家族情報における前記秘匿区分を自動設定する設定部を更に備え、
前記表示制御部は、前記設定部により自動設定された前記秘匿区分に基づいて、前記閲覧項目を指定したユーザに応じた画面を前記表示装置に表示させる、
請求項１から４の何れか１項に記載のコントローラ。
【請求項６】
前記秘匿区分に従って、前記収集情報の少なくとも一部を削除又は統合する加工部を更に備え、
前記表示制御部は、前記閲覧項目を指定したユーザに応じて、前記加工部により削除又は統合された前記収集情報を含む画面を前記表示装置に表示させる、
請求項１から５の何れか１項に記載のコントローラ。
【請求項７】
前記加工部は、時間経過に伴う変化の有無が明らかとなるように、前記収集情報を抽象化し、
前記表示制御部は、前記閲覧項目を指定したユーザに応じて、前記加工部により抽象化された前記収集情報を含む画面を前記表示装置に表示させる、
請求項６に記載のコントローラ。
【請求項８】
第１の居住領域及び第２の居住領域に配置された家電機器を管理するコントローラの画面生成方法であって、
前記第１の居住領域及び前記第２の居住領域に属する各ユーザについての家族情報であり、予め定められた閲覧項目について他居住領域に属するユーザへの秘匿の要否を規定した秘匿区分が含まれる家族情報と、閲覧対象となる前記家電機器に関する収集情報であり、前記閲覧項目に対応付けられた収集情報とに基づいて、前記閲覧項目を指定したユーザに応じて、前記収集情報の少なくとも一部を秘匿した画面若しくは秘匿しない画面を表示装置に表示させる表示制御ステップ、
を備える画面生成方法。
【請求項９】
第１の居住領域及び第２の居住領域に配置された家電機器を管理するコンピュータを、
前記第１の居住領域及び前記第２の居住領域に属する各ユーザについての家族情報であり、予め定められた閲覧項目について他居住領域に属するユーザへの秘匿の要否を規定した秘匿区分が含まれる家族情報と、閲覧対象となる前記家電機器に関する収集情報であり、前記閲覧項目に対応付けられた収集情報とに基づいて、前記閲覧項目を指定したユーザに応じて、前記収集情報の少なくとも一部を秘匿した画面若しくは秘匿しない画面を表示装置に表示させる表示制御部、
として機能させるプログラム。
【国際調査報告】
2016147402.tif 000022
2016147402.tif 000023
2016147402.tif 000024
2016147402.tif 000025